(57)【要約】本実施形態は、４方向の送信アンテナ（４Ｔｘ）通信システム（３００）において、共通パイロット電力の調整を判定する基地局における方法に関する。基地局は、第１の送信アンテナ（１２０１）、第２の送信アンテナ（１２０２）、第３の送信アンテナ（１２０３）および第４の送信アンテナ（１２０４）を含む。基地局は、該通信システムにおいてスケジュールされたユーザ装置のセットを識別する。基地局は、該スケジュールされたユーザ装置に関連付けられる基準に基づいて前記共通パイロット電力は調整されるべきと判定する。【選択図】図３
2015506644.tif 000002
【特許請求の範囲】
【請求項１】
４方向の送信アンテナ（４Ｔｘ）通信システム（３００）において、第１の送信アンテナ（１２０１）、第２の送信アンテナ（１２０２）、第３の送信アンテナ（１２０３）および第４の送信アンテナ（１２０４）を含む基地局（３１０）における共通パイロット電力の調整を判定するための方法であって、
前記通信システムにおいてスケジュールされたユーザ装置のセットを識別する工程（４０１、１００１、１１０１）と、
前記スケジュールされたユーザ装置に関連付けられる基準に基づいて前記共通パイロット電力は調整されるべきと判定する工程（４０２、１００２、１１０２）と
を有する、方法。
【請求項２】
前記基準は、前記スケジュールされたユーザ装置のセットに関連付けられるチャネル状態情報（ＣＳＩ）推定と、前記スケジュールされたユーザ装置のセットにおける４Ｔｘ多入力多出力（ＭＩＭＯ）で構成されているスケジュールされたユーザ装置の数、の少なくとも１つを表す、請求項１に記載の方法。
【請求項３】
前記基準は、前記スケジュールされたユーザ装置のセットにおける４ＴｘＭＩＭＯで構成されているスケジュールされたユーザ装置の数に関連し、
前記基準に基づいて前記共通パイロット電力は調整されるべきかを判定する工程は更に、
前記スケジュールされたユーザ装置のセットにおいて４ＴｘＭＩＭＯで構成されているスケジュールされたユーザ装置が存在しない場合に、前記第３の送信アンテナと前記第４の送信アンテナに対して前記共通パイロット電力を削減すべきと判定する工程（４０２ａ、１００２ａ、１１０２ａ）と、
前記スケジュールされたユーザ装置のセットにおいて４ＴｘＭＩＭＯで構成されたユーザ装置の数が閾値より多い場合に、前記第３の送信アンテナと前記第４の送信アンテナに対して前記共通パイロット電力を増加すべきと判定する工程（４０２ｂ、１００２ｂ、１１０２ｂ）とを有する、請求項２に記載の方法。
【請求項４】
前記基準に基づいて前記第３の送信アンテナと前記第４の送信アンテナに対する前記共通パイロット電力を調整する工程（４０４、１００４、１１０３）を更に有する、請求項１から３のいずれか１項に記載の方法。
【請求項５】
前記基準に基づいて前記第３の送信アンテナと前記第４の送信アンテナに対する共通パイロット電力を調整するために指示をネットワークノード（３１５）へ送信する工程（４０３、１００３、１１０４）を更に有する、請求項１から４のいずれか１項に記載の方法。
【請求項６】
前記第３の送信アンテナと前記第４の送信アンテナに対する調整された共通パイロット電力を用いて、前記スケジュールされたユーザ装置のセットにおける各ユーザ装置へ、第１のパイロット信号、第２のパイロット信号、第３のパイロット信号、および第４のパイロット信号を送信する工程（４０５、１００５、１１０５）を更に有する、請求項４または５に記載の方法。
【請求項７】
少なくとも１つの前記調整された共通パイロット電力を用いて、前記スケジュールされたユーザ装置のセットにおける各ユーザ装置へ、前記第１のパイロット信号、前記第２のパイロット信号、前記第３のパイロット信号、および前記第４のパイロット信号を送信する工程は、
削減された共通パイロット電力または増加された共通パイロット電力を用いて前記ユーザ装置のセットにおける各ユーザ装置へ前記第１のパイロット信号、前記第２のパイロット信号、前記第３のパイロット信号、および前記第４のパイロット信号を送信する工程（４０５、１００５、１１０５）を更に有する、請求項６に記載の方法。
【請求項８】
前記共通パイロット電力は６ｄＢから１０ｄＢ削減されることにより調整される、請求項１から７のいずれか１項の方法。
【請求項９】
前記共通パイロット電力は３ｄＢ増加されることにより調整される、請求項１から８のいずれか１項の方法。
【請求項１０】
前記共通パイロット電力は高速共有制御チャネル（ＨＳ−ＳＣＣＨ）の送信開始時に増加されることによって調整される、請求項１から９のいずれか１項に記載の方法。
【請求項１１】
前記通信システムは、高速ダウンリンクパケットアクセス（ＨＳＤＰＡ）システムである、請求項１から１０のいずれか１項に記載の方法。
【請求項１２】
４方向送信アンテナ（４Ｔｘ）通信システム（３００）において、共通パイロット電力を調整するネットワークノード（３１５）における方法であって、
スケジュールされたユーザ装置のセットに関連付けられる基準に基づいて前記共通パイロット電力を調整するために、第１の送信アンテナ（１２０１）、第２の送信アンテナ（１２０２）、第３の送信アンテナ（１２０３）および第４の送信アンテナ（１２０４）を含む基地局（３０１）から、指示を受信する工程（４０２．１００３、１３０１）と、
前記受信した指示に基づいて前記基地局の前記第３の送信アンテナ（１２０３）と前記第４の送信アンテナ（１２０４）に対する前記共通パイロット電力を調整する工程（４０４、１００４、１３０２）と、
を有する、方法。
【請求項１３】
前記基準は、前記スケジュールされたユーザ装置のセットに関連付けられるチャネル状態情報（ＣＳＩ）推定と、前記スケジュールされたユーザ装置のセットにおける４Ｔｘ多入力多出力（ＭＩＭＯ）で構成されているスケジュールされたユーザ装置の数、の少なくとも１つを表す、請求項１２に記載の方法。
【請求項１４】
前記第３の送信アンテナ（１２０３）と前記第４の送信アンテナ（１２０４）に対する前記調整された共通パイロット電力を用いて、前記スケジュールされたユーザ装置のセットにおける各前記ユーザ装置へ、第１のパイロット信号、第２のパイロット信号、第３のパイロット信号、および第４のパイロット信号を送信する工程（４０５、１００５、１３０３）を更に有する、請求項１３に記載の方法。
【請求項１５】
前記ネットワークノードは、無線ネットワーク制御装置である、請求項１２から１４のいずれか１項に記載の方法。
【請求項１６】
前記共通パイロット電力は６ｄＢから１０ｄＢ削減されることにより調整される、請求項１２から１５のいずれか１項の方法。
【請求項１７】
前記共通パイロット電力は３ｄＢ増加されることにより調整される、請求項１２から１６のいずれか１項の方法。
【請求項１８】
前記共通パイロット電力は高速共有制御チャネル（ＨＳ−ＳＣＣＨ）の送信開始時に増加されることによって調整される、請求項１２から１７のいずれか１項に記載の方法。
【請求項１９】
前記通信システムは、高速ダウンリンクパケットアクセス（ＨＳＤＰＡ）システムである、請求項１２から１８のいずれか１項に記載の方法。
【請求項２０】
４方向の送信アンテナ（４Ｔｘ）通信システム（３００）において、第１の送信アンテナ（１２０１）、第２の送信アンテナ（１２０２）、第３の送信アンテナ（１２０３）および第４の送信アンテナ（１２０４）を含む基地局（３１０）であって、
前記通信システムにおいてスケジュールされたユーザ装置のセットを識別するように構成された識別手段（１２０５）と、
前記スケジュールされたユーザ装置に関連付けられる基準に基づいて前記共通パイロット電力は調整されるべきと判定するプロセッサ（１２０７）と
を有する基地局。
【請求項２１】
前記基準は、前記スケジュールされたユーザ装置のセットに関連付けられるチャネル状態情報（ＣＳＩ）推定と、前記スケジュールされたユーザ装置のセットにおける４Ｔｘ多入力多出力（ＭＩＭＯ）で構成されているスケジュールされたユーザ装置の数、の少なくとも１つを表す、請求項２０に記載の基地局。
【請求項２２】
前記基準は、前記スケジュールされたユーザ装置のセットにおける４ＴｘＭＩＭＯで構成されているスケジュールされたユーザ装置の数に関連し、
前記プロセッサは更に、
前記スケジュールされたユーザ装置のセットにおいて４ＴｘＭＩＭＯで構成されているスケジュールされたユーザ装置が存在しない場合に、前記第３の送信アンテナと前記第４の送信アンテナに対して前記共通パイロット電力を削減すべきと判定し、
前記スケジュールされたユーザ装置のセットにおいて４ＴｘＭＩＭＯで構成されたユーザ装置の数が閾値より多い場合に、前記第３の送信アンテナと前記第４の送信アンテナに対して前記共通パイロット電力を増加すべきと判定するように更に構成される、請求項２１に記載の基地局。
【請求項２３】
前記基準に基づいて前記第３の送信アンテナと前記第４の送信アンテナに対する前記共通パイロット電力を調整するように構成された調整手段（１２１０）を更に有する、請求項２０から２３のいずれか１項に記載の基地局。
【請求項２４】
前記基準に基づいて前記第３の送信アンテナと前記第４の送信アンテナに対する共通パイロット電力を調整するために指示をネットワークノード（３１５）へ送信するように構成された送信器（１２１５）を更に有する、請求項２０から２３のいずれか１項に記載の基地局。
【請求項２５】
前記第３の送信アンテナと前記第４の送信アンテナに対する調整された共通パイロット電力を用いて、前記スケジュールされたユーザ装置のセットにおける各ユーザ装置へ、第１のパイロット信号、第２のパイロット信号、第３のパイロット信号、および第４のパイロット信号を送信するように構成された送信器（１２１５）を更に有する、請求項２０から２４のいずれか１項に記載の基地局。
【請求項２６】
前記送信器は、少なくとも１つの削減された共通パイロット電力または少なくとも１つの増加された共通パイロット電力を用いて前記ユーザ装置のセットにおける各ユーザ装置へ前記第１のパイロット信号、前記第２のパイロット信号、前記第３のパイロット信号、および前記第４のパイロット信号を送信するように構成される、請求項２５に記載の基地局。
【請求項２７】
前記共通パイロット電力は６ｄＢから１０ｄＢ削減されることにより調整される、請求項２０から２６のいずれか１項の基地局。
【請求項２８】
前記共通パイロット電力は３ｄＢ増加されることにより調整される、請求項２０から２７のいずれか１項の基地局。
【請求項２９】
前記共通パイロット電力は高速共有制御チャネル（ＨＳ−ＳＣＣＨ）の送信開始時に増加されることによって調整される、請求項２０から２８のいずれか１項に記載の基地局。
【請求項３０】
前記通信システムは、高速ダウンリンクパケットアクセス（ＨＳＤＰＡ）システムである、請求項２０から２９のいずれか１項に記載の基地局。
【請求項３１】
４方向送信アンテナ（４Ｔｘ）通信システム（３００）において、共通パイロット電力を調整するネットワークノード（３１５）であって、
スケジュールされたユーザ装置のセットに関連付けられる基準に基づいて前記共通パイロット電力を調整するために、第１の送信アンテナ（１２０１）、第２の送信アンテナ（１２０２）、第３の送信アンテナ（１２０３）および第４の送信アンテナ（１２０４）を含む基地局（３０１）から、指示を受信するように構成された受信器（１４０１）と、
前記受信した指示に基づいて前記基地局の前記第３の送信アンテナ（１２０３）と前記第４の送信アンテナ（１２０４）に対する前記共通パイロット電力を調整するように構成された調整手段（１４０３）と、
を有する、ネットワークノード。
【請求項３２】
前記基準は、前記スケジュールされたユーザ装置のセットに関連付けられるチャネル状態情報（ＣＳＩ）推定と、前記スケジュールされたユーザ装置のセットにおける４Ｔｘ多入力多出力（ＭＩＭＯ）で構成されているスケジュールされたユーザ装置の数、の少なくとも１つを表す、請求項３１に記載のネットワークノード。
【請求項３３】
前記第３の送信アンテナ（１２０３）と前記第４の送信アンテナ（１２０４）に対する前記調整された共通パイロット電力を用いて、前記スケジュールされたユーザ装置のセットにおける各前記ユーザ装置へ、第１のパイロット信号、第２のパイロット信号、第３のパイロット信号、および第４のパイロット信号を送信するように構成された送信器（１４０５）を更に有する、請求項３１または３２に記載のネットワークノード。
【請求項３４】
前記ネットワークノードは、無線ネットワーク制御装置である、請求項３１から３３のいずれか１項に記載のネットワークノード。
【請求項３５】
前記共通パイロット電力は６ｄＢから１０ｄＢ削減されることにより調整される、請求項３１から３４のいずれか１項のネットワークノード。
【請求項３６】
前記共通パイロット電力は３ｄＢ増加されることにより調整される、請求項３１から３５のいずれか１項の方法。
【請求項３７】
前記共通パイロット電力は高速共有制御チャネル（ＨＳ−ＳＣＣＨ）の送信開始時に増加されることによって調整される、請求項３１から３６のいずれか１項に記載のネットワークノード。
【請求項３８】
前記通信システムは、高速ダウンリンクパケットアクセス（ＨＳＤＰＡ）システムである、請求項３１から３７のいずれか１項に記載のネットワークノード。
【発明の詳細な説明】
【技術分野】
【０００１】
ここに示される実施形態は、一般的には、基地局と該基地局における方法、及びネットワークノードと該ネットワークノードにおける方法に関する。より詳細には、ここに示される実施形態は、４方向の送信（４Ｔｘ）アンテナ通信システムにおける共通パイロット電力の配置を決定することに関する。
【背景技術】
【０００２】
典型的なセルラーネットワーク、および無線通信システムや通信システムと見なされるものにおいて、ユーザ装置（ＵＥ）は、無線アクセスネットワーク（ＲＡＮ）を介して１つ以上のコアネットワーク（ＣＮｓ）と通信を行う。
【０００３】
ユーザ装置は、加入者がサービスにアクセス可能な携帯端末である。該サービスは、オペレータのコアネットワークにより提供されるサービスと、該オペレータのネットワーク外のサービスであって、該オペレータの無線アクセスネットワークとコアネットワークがアクセスを提供するサービスがある。ユーザ装置は、例えば、携帯電話、セルラ電話、スマートフォン、タブレット型コンピュータ、無線機能が付いたラップトップのような、通信機器である。ユーザ装置は、携帯できるものか、ポケットに保持できるものか、手で持って操作できるものか、コンピュータが内蔵されるものか、または車載移動機器であり、別の移動局やサーバといった別のエンティティと、無線アクセスを介して音声通信並びに／又はデータ通信が可能である。ユーザ装置は、ネットワークにおいて無線で通信が可能である。通信は、通信システム内の、無線アクセスネットワークや、可能性としては１つ以上のコアネットワークを介して、例えば、２つのユーザ装置間、ユーザ装置と一般の電話間、並びに／又はユーザ装置とサーバ間において行われる。
【０００４】
無線アクセスネットワークは、セル領域に分割される地理的領域をカバーし、各セル領域は、例えば無線基地局（ＲＢＳ）のような、いくつかの無線アクセスネットワークでは、拡張ノードＢ（ｅＮＢ）、ノードＢ、Ｂノードとも呼ばれる基地局（ＢＳ）によりサービスされる。セルは、基地局サイトにおいて、無線基地局により提供される無線範囲である地理的領域である。各セルは局所的無線領域内で識別子により識別され、該識別子は該セルにおいてブロードキャストされる。基地局は、該基地局の通信可能な範囲内において、無線周波数に作用する空気界面を介して、ユーザ装置と通信を行う。
【０００５】
第３世代パートナーシッププロジェクト（３ＧＰＰ）、高速パケットアクセス（ＨＳＰＡ）は、モバイルブロードバンドデータサービスと共に音声サービスの提供を支援する。ＨＳＰＡは、高速ダウンリンクパケットアクセス（ＨＳＤＰＡ）、高速アップリンクパケットアクセス（ＨＳＵＰＡ）、およびＨＳＰＡ＋を含む。ＨＳＤＰＡでは、ユニバーサル移動通信システム（ＵＭＴＳ）に基づいて、ネットワークにより高いデータ転送速度と容量とをもたらすことが可能である。ＨＳＤＰＡでは、新しいトランスポート層チャネルである、高速ダウンリンク共有チャネル（ＨＳ−ＤＳＣＨ）が、ＵＭＴＳリリース５とそれ以降の仕様書において追加されている。それは、３つの物理層チャネル、すなわち、高速共有チャネル（ＨＳ−ＳＣＣＨ）、アップリンク高速個別物理制御チャネル（ＨＳ−ＤＰＣＣＨ）、高速物理ダウンリンク共有チャネル（ＳＨ−ＰＤＳＣＨ）を導入することにより実装されている。ＨＳ−ＳＣＣＨは、データが２スロット前にＳＨ−ＤＳＣＨ上で送信されることをユーザ装置に伝える。ＨＳ−ＤＰＣＣＨは確認応答情報とユーザ装置の現在のチャネル品質指標（ＣＱＩ）を運ぶ。この値は、その後基地局が次の送信においてどれくらいのデータをユーザ装置に送信するかを算出するために使用される。ＨＳ−ＰＤＳＣＨは、実際のユーザデータを運ぶＨＳ−ＤＳＣＨトランスポートチャネル上にマップされる。
【０００６】
多入力多出力（ＭＩＭＯ）は、送信器と受信器における複数のアンテナを有するあらゆる通信システムを参照し、通信性能を改善させるために使用される。入力と出力の語は、信号を運ぶ無線チャネルを参照し、アンテナを有する機器を参照するものではない。送信器（Ｔｘ）において、複数のアンテナは、送信ダイバーシチを介してフェージングの影響を低減するためと、空間分割多元アクセスを介してスループットを上げるために使用される。受信器（Ｒｘ）において、複数のアンテナは、ダイバーシチを提供する受信結合とゲインの結合のために使用される。もし複数のアンテナが送信器と受信器の両方において利用可能であれば、異なるデータストリームが各アンテナから送信されもよく、ここで各データストリームは異なる情報であっても同じ周波数リソースを用いて運んでもよい。例えば、２つのアンテナを用いる場合、２つの別個のデータストリームを送信してもよい。受信器において、複数のアンテナは、該アンテナの空間的特徴に基づいてデータストリームを復調するために必要である。一般的に、必要な受信アンテナの最小数は、別個のデータストリームの数に等しい。４×４ＭＩＭＯは４ブランチＭＩＭＯとも呼ばれ、これは４つまでのデータストリームをサポートする。
【０００７】
現在、ＨＳＤＰＡの対する４ＴｘＭＩＭＯ送信構想が３ＧＰＰ標準化内で議論されている。一つの基本的な課題は、この特徴が生かされる場合に、どのようなパイロットスキームを使うかということである。ＨＳＤＰＡでは、パイロット信号は（主に）２つのことのために使用される。一つ目として、ＨＳ−ＰＤＳＣＨ等のデータチャネルが復調されるべき場合に位相の参照として使用され、二つ目として、ＣＱＩやプリコーダマトリックス指標（ＰＭＩ）といったチャネル状態情報（ＣＳＩ）を推定するためにも使用される。パイロット信号は単一の周波数であってよい。ＣＳＩは、通信リンクのチャネル特性として参照されもよく、送信器から受信器にどのように信号が伝搬するかを表す。ＣＳＩにより、送信を現在のチャネルの状況に適応させることができ、また、ＣＳＩは、マルチアンテナ通信システムにおいて、高いデータレートを有する信頼性のある通信を達成するために重要である。
【０００８】
一般に、多くのシステムは、ダウンリンクパイロット信号やダウンリンク参照信号を呼ばれる、所定の構造のダウンリンク信号を提供する。ダウンリンクパイロット信号は、一定の電力で基地局からユーザ装置に送信される。ユーザ装置は、受信したダウンリンクパイロット信号を使用し、基地局に報告を返すことが可能な、瞬間的なダウンリンクチャネル状況を推定する。共通パイロットチャネル（ＣＰＩＣＨ）は、パイロット信号の送信のために使用されるチャネライゼーションコードである。共通パイロットチャネルは、既知のデータを含み、基地局によってサービスされるセルにおけるユーザ装置によりダウンリンクチャネル推定のための参照として使用される。共通パイロット信号が使用されるダウンリンクとは異なり、アップリンクの送信は異なる位置から開始する。したがって、共通パイロット信号は、アップリンク送信において使用できない。アップリンク送信では、各ユーザ装置は、異なる個別パイロット信号を有する必要がある。個別パイロット信号は、個別物理制御チャネル（ＤＰＣＣＨ）上で運ばれる。
【０００９】
４ブランチＭＩＭＯシステムにおいて、パイロット信号は２つの主たる機能のために必要である。一つ目の機能は、チャネルランク、ＣＱＩ及びプリコーディングチャネル指標（ＰＣＩ）が推定されるチャネルサウンダを介したチャネル状態情報推定であり、二つ目の機能は、復調を目的としたチャネル推定である。無線機器は、チャネルランク情報を基地局に提言する。４ＴｘＭＩＭＯ送信をサポートするために、新しいパイロット信号を定義することが必要である。４ブランチＭＩＭＯにおいて、次の２つの異なるアプローチが可能である。
‐ＣＳＩ推定とチャネル推定の両方のための共通パイロット信号
‐ＣＳＩ推定のための共通パイロット信号とチャネル推定のための個別パイロット信号
【００１０】
どちらにしても、今日のパイロット信号方式は、４本の送信アンテナ（４Ｔｘ）をサポートするように拡張されている。この場合、ＣＳＩ推定のためだけでなく復調の目的にも、同じパイロット信号が使用されてもよい。代わりに、個別パイロット信号がデータチャネルの復調のために定義されてもよい。これらに加えて、いくつかのまばらな、並びに／または、低電力の共通パイロット信号が、ＣＳＩ推定に必要である。個別パイロットは一般にＣＳＩ推定のために用いられないため、これらの共通パイロット信号が必要となる。あるユーザ装置へのデータが予定された場合にのみ共通パイロット信号は存在するため、ＣＳＩ推定はセルにおける全てのユーザ装置により行われるべきである。また、もし個別パイロット信号がプリコーディングされたら、該個別パイロット信号は一般に全チャネル部分空間に広がらないため、ユーザ装置はこれをプリコーダ推定のために用いないだろう。例外は、ユーザ装置にフルランク送信が発生した場合である。
【００１１】
２つのパイロット信号方式は賛否がある。しかし、本開示では、共通パイロット信号のみが復調とＣＳＩ推定の両方の目的のために定義されるケースに注目する。
【００１２】
ＣＳＩのための共通パイロット信号アプローチが調査されており、共通パイロット信号の解決手法に沿った個別パイロット信号を伴うオプションだけでなくチャネル推定オプションが、ＣＳＩ推定のためのチャネル推定に使用される。時間分割多重パイロット信号よりむしろ符号分割個別パイロット信号が、データ復調の評価において考慮されるべきである。
【００１３】
以下において、共通パイロット信号のみの解決手法を導入した場合の影響が記述される。すなわち、共通パイロット信号はチャネル推定のために使用され、また、ＣＱＩ推定とデータ復調の両方のために使用される。
【００１４】
パイロット信号の数を１（または２）から４つに拡張した場合に起きる主たる問題は、レガシーユーザ装置に悪影響が及ぶことである。レガシーユーザ装置は、古く、また、より新しい技術やより効率的な方法が利用可能であっても、典型的には該ユーザ装置が必要な機能がいまだに果たされるために使用し続けられる、ユーザ装置である。システム性能における主な影響は、システムに広がる高いランク干渉から生じる。Ｎ（Ｎは正の整数）個のＲｘアンテナを有す受信機は、Ｎ−１の発信源からの干渉を抑える可能性があることはよく知られている。つまり、２つのＲｘアンテナを有する典型的なユーザ装置の受信器は、１つの干渉信号のみを抑えるかもしれない。２ＴｘＭＩＭＯが導入されたとき、これは主な障害として見られ、解決手法は第２の送信アンテナから送信される第２のパイロット信号の電力を削減することだった。通常は、第２のパイロット信号は、３ｄＢ（デシベル）で送信される。すなわち、プライマリ共通パイロット信号の半分の電力である。これにより、第２のチャネルのチャネル推定の品質を許容なレベルに維持しながら、レガシーユーザ装置における影響が最小化されるであろう。４Ｔｘ送信に進むとき、レガシーユーザ装置における影響をさらに最小化するために第３のパイロット信号と第４のパイロット信号の電力を削減するように、これを一般化してもよい。しかしながら、パイロット電力を削減することは、チャネル推定性能もより悪化させることを意味し、それゆえに、スループットはより低くなる。
【００１５】
図１では、レガシーユーザ装置における追加の共通パイロットの影響がしめされて。図１において、サイト間の距離は５００ｍであり、ユーザ装置の速度は３ｋｍ／ｈ（キロメートル／時間）である。図１のｘ軸は、Ｍｂｐｓ（ビット／秒）で計測されたセルスループットを表し、ｙ軸は、Ｍｂｐｓで計測された平均ユーザ装置スループットを表す。丸印が付いた線は、第２のパイロット電力、第３のパイロット電力、第４のパイロット電力が−１３ｄＢの４Ｔｘを実装したＲ９９のユーザ装置を表す。星印が付いた線は、第２のパイロット信号が−１３ｄＢの２Ｔｘを実装したＲ９９のユーザ装置を表す。三角印が付いた線は、１Ｔｘを実装したＲ９９のユーザ装置を表す。１Ｔｘのシナリオに１つの追加のパイロットを追加することにより、すなわち２Ｔｘにおいて、たとえ第２のパイロットの電力が３ｄＢ削減したとしても、Ｒ９９のユーザ装置にいくらかの悪影響が及ぶようにみられる。しかし、３つの追加パイロットを追加することにより、すなわち、４Ｔｘにおいて、たとえパイロット電力が削減されたとしても、スループットは５０％低下する。
【００１６】
図２は、リリース７のＭＩＭＯユーザ装置のための追加のパイロット電力に起因する、２本の送信アンテナと２本の受信アンテナを有するリリースＨＳＤＰＡシステムにおけるシステムレベルの影響を表している。図２のｘ軸は、セクタあたりのユーザ装置の数を表す。ｙ軸は、Ｍｂｐｓで計測されたセクタスループットを表す。四角印が付いた線は、第３のパイロット電力と第４のパイロット電力が−１３ｄＢであることを表している。丸印が付いた線は、２×２ＭＩＭＯのみを表している。図２から、追加のパイロット電力に起因して、追加の干渉によりスループットが低下していることがわかる。この低下は負荷が高いほど顕著である。このことから、妥当なレベルに影響を維持するためには、３ｄＢより多くパイロット電力を削減する必要がある。一方で、追加のアンテナのためのチャネル推定はかなり劣るため、ＭＩＭＯユーザ装置に悪影響がもたらされる。このことは、このユーザ装置のスループットが大幅に低下することを意味する。
【発明の概要】
【００１７】
ここに示す実施形態の目的はゆえに、上記の不利益の少なくとも１つを取り除くこと、及び、通信ネットワークにおいて改善されたシステムスループットを提供することである。
【００１８】
第１の観点によれば、４方向送信アンテナ通信システムにおいて共通パイロット電力の調整を決定するための基地局における方法により、該目的は達成される。基地局は、第１の送信アンテナ、第２の送信アンテナ、第３の送信アンテナ、及び、第４の送信アンテナを有する。基地局は通信システムにおいて、スケジュールされたユーザ装置のセットを識別する。基地局は該スケジュールされたユーザ装置のセットに関連付られた基準に基づいて共通パイロット電力が調整されるべきかを判定する。
【００１９】
第２の観点によれば、４方向送信アンテナ通信システムにおいて共通パイロット電力を調整するネットワークノードにおける方法により、該目的は達成される。ネットワークノードはスケジュールされたユーザ装置のセットに関連付けられた基準に基づいて共通パイロット電力を調整するために、基地局から指示を受信する。基地局は、第１の送信アンテナ、第２の送信アンテナ、第３の送信アンテナ、及び、第４の送信アンテナを有する。ネットワークノードは、受信した指示に基づいて、基地局の第３の送信アンテナと第４の送信アンテナの共通パイロット電力を調整する。
【００２０】
第３の観点によれば、４方向送信アンテナ通信システムにおいて共通パイロット電力の調整を決定する基地局により、該目的は達成される。基地局は、第１の送信アンテナ、第２の送信アンテナ、第３の送信アンテナ、及び、第４の送信アンテナを有する。基地局はさらに通信システムにおいてスケジュールされたユーザ装置のセットを識別するように構成された識別部を含む。基地局はスケジュールされたユーザ装置のセットに関連付けられた基準に基づいて共通パイロット電力が調整されるべきかを決定するように構成されたプロセッサを含む。
【００２１】
第４の観点によれば、４方向送信アンテナ通信システムにおいて共通パイロット電力を調整するネットワークノードにより、該目的は達成される。ネットワークノードは、スケジュールされたユーザ装置のセットに関連付けられた基準に基づいて共通パイロット電力を調整するために基地局から指示を受信するように構成された受信器を含む。基地局は、第１の送信アンテナ、第２の送信アンテナ、第３の送信アンテナ、及び、第４の送信アンテナを有する。ネットワークノードは、受信した指示に基づいて基地局の第３の送信アンテナと第４の送信アンテナに対する共通パイロット電力を調整するように構成された調整部を有する。
【００２２】
パイロット電力は調整されるので、通信ネットワークにおいて改善されたシステムスループットが提供される。
【００２３】
ここに示す実施形態は多くの利点を提供し、該利点は以下の例の包括的ではないリストである。
【００２４】
ここに示す実施形態の利点は基地局の第３の送信アンテナと第４の送信アンテナの共通パイロット電力が削減されるなどにより調整される場合に、高いランクの干渉を抑えることができないレガシーユーザ装置の影響が妥当なレベルに維持される。このことに基づいて、通信システムはユーザ装置に対して、４ＴｘＭＩＭＯのより広い範囲の機能をサポートする。基地局の第３の送信アンテナと第４の送信アンテナの共通パイロット電力が増加されるなどにより増調整される場合に、４ＴｘＭＩＭＯで構成されたユーザ装置の数が閾値に達した時に、高い電力のパイロットはユーザ装置に対してデータ検出をサポートするものとして提供される。
【００２５】
ここに示す実施形態は上述した特徴や利点に限定されない。当業者は以下の詳細な記述を読むことにより追加の特徴や利点を認識するだろう。
【００２６】
ここに示される実施形態は、該実施形態を示す添付の図面を参照した以下の詳細な記述において、より詳細に記述されるだろう。
【図面の簡単な説明】
【００２７】
【図１】レガシーユーザ装置における追加パイロットの影響を示したグラフ。
【図２】リリース７のユーザ装置に対する２つのアンテナシステムにおける追加パイロット電力に起因したシステムレベルスループットの影響を示したグラフ。
【図３】通信システムの実施形態を示した概略図。
【図４Ａ】通信システムの実施形態を示したシグナリング図。
【図４Ｂ】通信システムの実施形態を示したシグナリング図。
【図５】第３のアンテナと第４のアンテナに対して異なるパイロット電力を削減したリンクレベルスループットのシミュレーションを示したグラフ。
【図６】ジオメトリが２０ｄＢの現実的なチャネル推定を伴うリンクスループット特性を示したグラフ。
【図７】３つの異なるジオメトリに対するリンクスループット特性を示したグラフ。
【図８】チャネルサウンダに対する現実的なチャネル推定とデータ復調に対する理想的なチャネル推定を伴うスループット特性を示したグラフ。
【図９】セクタごとにユーザの数が異なるセクタのスループット上でのパイロット低減方式の特性を示したグラフ。
【図１０Ａ】通信システムにおいて方法の実施形態を示したシグナリング図。
【図１０Ｂ】通信システムにおいて方法の実施形態を示したシグナリング図。
【図１１】基地局において方法の実施形態を示したフローチャート。
【図１２】基地局の実施形態を示した概略ブロック図。
【図１３】ネットワークノードの方法の実施形態を示したフローチャート。
【図１４】ネットワークノードの実施形態を示した概略ブロック図。
【図１５】ユーザ装置の実施形態を示した概略ブロック図。
【図１６】ノードの実施形態を示した概略ブロック図。
【発明を実施するための形態】
【００２８】
本実施形態は、４ブランチＭＩＭＯユーザ装置だけでなくレガシーユーザ装置に対しても許容できる特性を維持しながら、ユーザ装置の活動（Ａｃｔｉｖｉｔｙ）に基づいたパイロット電力の割り当てを記述する。
【００２９】
図３は、本実施形態において実装される通信システム３００を示す。通信システム３００は、いくつかの実施形態において、例えばＨＳＤＰＡ、ロングタームエヴォリューション（ＬＴＥ）、ＬＴＥアドバンスト、広帯域符号分割多元接続（Ｗ−ＣＤＭＡ）、グローバルシステムモバイル通信（ＧＳＭ（登録商標））、他の第３世代パートナーシッププロジェクト（３ＧＰＰ）無線アクセス技術、またはＷＬＡＮといった無線アクセス技術のような無線アクセス技術に適用しても良い。通信システム３００は、無線通信システムとして参照されてもよい。通信システムは４方向送信アンテナ通信システムである。
【００３０】
通信システム３００は、セル３０５をサービスする基地局３０１を含む。基地局３０１は、ＮｏｄｅＢ、ｅＮｏｄｅＢ、またはセル３０５に存在するユーザ装置３１０と無線キャリア３０７を介して通信可能なあらゆる他のネットワークユニットといった基地局である。基地局３０１は、第１の送信アンテナ１２０１、第２の送信アンテナ１２０２、第３の送信アンテナ１２０３、第４の送信アンテナ１２０４を含む。送信アンテナは図３には示されていないが、図１２を参照して後述する。参照番号１２０１、１２０２、１２０３、１２０４は図１２が参照される。無線キャリア３０７は、単一ダウンリンクキャリアかマルチキャリアであってもよい。
【００３１】
ユーザ装置３１０は、無線チャネル３０７を介して基地局３０１と通信可能な通信能力を備える適切な通信機器やコンピュータ機器であってもよい。例えば、これらに限定されないが、携帯電話、スマートフォン、個人用デジタル補助装置（ＰＤＡ）、タブレット型コンピュータ、ラップトップ、ＭＰ３プレーヤ、ポータブルデジタル多用途ディスク（ＤＶＤ）プレーヤや同様のメディアコンテンツ機器、デジタルカメラ、パーソナルコンピュータ（ＰＣ）といった固定された機器がある。ＰＣは、ブロードキャスト媒体／マルチキャスト媒体の終端局として、移動局を介して接続されてもよい。ユーザ装置３１０は、電子写真フレーム、心臓監視装置、侵入や他の監視装置、気象資料監視システム、車両、車や運送通信装置、電気器具等に組み込まれてもよい。ユーザ装置３１０はいくつかの図においてＵＥと称される。
【００３２】
無線アクセスネットワークのいくつかの形態では、複数の基地局３０１は典型的に有線やマイクロ波によりネットワークノード３１５に接続される。ネットワークノード３１５は、接続されている複数の基地局３０１のあらゆる活動を監視し調整する無線ネットワーク制御装置（ＲＮＣ）であってもよい。なお、図３には簡略化のために一つの基地局３０１が示されている。
【００３３】
いくつかの実施形態による共通パイロット電力の調整を決定する方法は図４ａと図４ｂに示されるシグナリング図を参照してここに記述される。図４ａは、基地局３０１が共通パイロット電力を調整するノードである場合を示し、図４ｂは、ネットワークノード３１５が共通パイロット電力を調整するノードである場合を示している。上述したように、基地局３０１は、第１の送信アンテナ１２０１、第２の送信アンテナ１２０２、第３の送信アンテナ１２０３、第４の送信アンテナ１２０４を含む。基地局３０１は、無線キャリア３０７を介してユーザ装置３１０に接続される。いくつかの実施形態において、無線キャリア３０７は、単一のダウンリンクキャリアかマルチキャリアである。いくつかの実施形態では、通信システム３００はＨＳＤＰＡシステムである。
【００３４】
方法は以下の工程を含み、該工程はあらゆる適切な順に実行されてもよい。
【００３５】
工程４０１
この工程は図４ａと図４ｂに示される。基地局３０１は、通信システム３００においてスケジュールされたユーザ装置３１０のセットを識別する。該スケジュールされたユーザ装置３１０は、基地局３０１がサービスするセル３０５に位置する。基地局３０１は、スケジュールされたユーザ装置３１０のセットを識別するためにあらゆる適切な技術を利用する。
【００３６】
工程４０２
この工程は図４ａと図４ｂに示される。基地局は、スケジュールされたユーザ装置３１０のセットに関連付けられた基準に基づいて、共通パイロット電力が調整されるべきと判定する。該基準は、現在スケジュールされたユーザ装置３１０のセットの関連付けられるＣＳＩ推定と、スケジュールされるユーザ装置３１０のセットにおける４ＴｘＭＩＭＯで構成された現在スケジュールされるユーザ装置３１０のうちの少なくとも１つを表す。
【００３７】
いくつかの実施形態では、共通パイロット電力はＨＳ−ＳＣＣＨの送信の開始時に増加されるように決定される。
【００３８】
基準は、スケジュールされたユーザ装置３１０のセットの機能、たとえば４ＴｘＭＩＭＯ機能のような機能と考えられてもよい。
【００３９】
工程４０２ａ
この工程は図４ａと図４ｂに示され、工程４０２の副工程である。この工程は、基準が、４ＴｘＭＩＭＯで構成されスケジュールされたユーザ装置３１０の数を示す場合に関連する。
【００４０】
いくつかの実施形態において、４ＴｘＭＩＭＯで構成されスケジュールされたユーザ装置３１０の数がゼロである場合、すなわち、Ｔｘで構成されたユーザ装置が存在しない場合に、基地局３０１は、第３の送信アンテナと第４の送信アンテナに対して共通パイロット電力を削減すべきであると判定する。この削減は、共通パイロット電力が最低レベルで維持することと考えてもよい。電力をプライマリＣＰＩＣＨから６ｄＢから１０ｄＢ下回る電力に設定することは可能であろう。
【００４１】
工程４０２ｂ
この工程は図４ａと図４ｂに示され、工程４０２の副工程である。この工程は、基準が、４ＴｘＭＩＭＯで構成されスケジュールされたユーザ装置３１０の数を示す場合に関連する。
【００４２】
いくつかの実施形態において、４ＴｘＭＩＭＯで構成されスケジュールされたユーザ装置３１０の数が閾値より多い場合、基地局３０１は第３の送信アンテナと第４の送信アンテナに対して共通パイロット電力を増加すべきと判定する。２×２ＭＩＭＯと比較して、追加のアンテナにおける電力となる。すなわち、データの復調特性が保証されるように、第３の送信アンテナと第４の送信アンテナにおける電力となる。この場合、妥当なパイロット電力はプライマリＣＰＩＣＨより３ｄＢのオーダーで低いものとしてもよい。閾値は基地局３０１においてあらかじめ決定されてもよく、または動作中に変化する動的閾値としてもよい。閾値は通信システム３００においてあらゆる適切なノードから基地局３０１により受信されてもよい。
【００４３】
工程４０２ｃ
この工程は図４ａと図４ｂに示され、工程４０２の副工程である。この工程は、基準が、スケジュールされたユーザ装置３１０のセットに関連付けられたＣＳＩ推定を表す場合に関連する。いくつかの実施形態において、基地局３０１は、第３の送信アンテナと第４の送信アンテナに対する共通パイロット電力を決定する。すなわち、基地局３０１は、ＣＳＩ推定が妥当な品質となるように、共通パイロット電力を削減するか増加するかを判定する。共通パイロット電力は、セル３０５における活動、すなわちＣＳＩ推定の品質に依存する。ＣＳＩ推定に対する妥当な品質は、たとえば、パイロット電力が−１９ｄＢに削減されたとしてもスループットに影響がないものであればよい。
【００４４】
工程４０２ａ、４０２ｂ、４０３ｃの１つ以上が実行されることができる。
【００４５】
工程４０３
この工程は図４ｂに示される。いくつかの実施形態において、基地局３０１は、共通パイロット電力を調整するためにネットワークノード３１５に指示を送信する。基地局３０１は、パイロット電力が調整されるべきと判定された場合にこの送信を実行する。
【００４６】
工程４０４
この工程は図４ａと図４ｂに示される。いくつかの実施形態において、基地局３０１またはネットワークノード３１５は、工程４０２における判定に基づいて第３の送信アンテナ１２０３と第４の送信アンテナ１２０４に対する共通パイロット電力を調整する。
【００４７】
いくつかの実施形態において、第１の送信アンテナ１２０１並びに／または第２の送信アンテナ１２０２に対するパイロット電力も調整されてもよい。
【００４８】
パイロット割り当て方式は、ＨＳＤＰＡに関連付けられるダウンリンク制御チャネルをも考慮することにより、さらに改善される。なお、ＨＳ−ＳＣＣＨは、ＨＳ−ＰＤＳＣＨにおけるデータ伝送と比較して、時間がずれている。データチャネルを受信するために必要な情報を含むＨＳ−ＳＣＣＨは、データチャネルＨＳ−ＰＤＳＣＨに対して２スロット前に送信される。
【００４９】
ユーザ装置３１０は、いくらかの時間に渡って平均化することによりチャネル推定を得ることから、データ送信が起こる少し前にパイロット電力が調整されれば有益であろう。特に低いドップラーシナリオのような低速度において、大きいゲインを得られ、４ＴｘＭＩＭＯにより得られる高データレートのためのシナリオとなる。
【００５０】
共通パイロット電力は、ＨＳ−ＳＣＣＨの開始時に調整されてもよい。この場合、利点は２つある。より高いパイロット電力と、これにより得られるより良いチャネル推定が、ＨＳ−ＳＣＣＨの検出のために提供され、またユーザ装置３１０はＨＳ−ＰＤＳＣＨ送信の開始までチャネル推定を平均化する時間を有するだろう。
【００５１】
第３の送信アンテナ１２０３と第４の送信アンテナ１２０４に対するパイロット電力を調整することにより、レガシーユーザ装置が高いランク干渉を抑制することが困難であるという問題が緩和される。
【００５２】
工程４０５
この工程は図４ａと図４ｂに示される。いくつかの実施形態において、基地局３０１は、第１のパイロット信号、第２のパイロット信号、第３のパイロット信号、および第４のパイロット信号を、第３の送信アンテナ１２０３と第４の送信アンテナ１２０４に対する調整された共通パイロット電力を用いてユーザ装置３１０へ送信する。いくつかの実施形態において、図４ｂに示されるように、基地局３０１はこれらのパイロット信号をネットワークノード３１５を介して送信する。
【００５３】
いくつかの実施形態において、基地局３０１は、第１のパイロット信号、第２のパイロット信号、第３のパイロット信号、および第４のパイロット信号を、削減された共通パイロット電力または増加された共通パイロット電力を用いて、場合によりネットワークノード３１５を介してユーザ装置３１０へ送信する。
【００５４】
２ブランチのリリース７ＭＩＭＯのために、ユーザ装置３１０は２×２ＭＩＭＯを使用可能であるときはいつでも、チャネルサウンダのためのプライマリ共通パイロットチャネル（Ｐ−ＣＰＩＣＨ）に加えてセカンダリ共通パイロットチャネル（Ｓ−ＣＰＩＣＨ）が、大抵構成される。Ｐ−ＣＰＩＣＨとＳ−ＣＰＩＣＨの両方は、データ復調のためだけでなくＣＱＩを算出するためにチャネルを推定するためにも、使用される。４ブランチＭＩＭＯが同様の設計原理に従うのであれば、チャネル状態情報を算出するためとデータ復調のために４つのパイロット信号が必要である。残念なことに、新しい共通パイロットを導入することは、他のセルユーザへのパイロット干渉を引き起こし、全体のシステム性能が悪化する。上述したように、この問題を回避する一つの解決手法は、追加のパイロット信号のパイロット電力を削減することである。パイロット電力の削減は、４ブランチＭＩＭＯが可能なユーザ装置のリンクスループットに影響を与えるだろう。
【００５５】
以下において、第３の送信アンテナ１２０３と第４の送信アンテナ１２０４に対するパイロット電力の削減によるリンクスループットの性能の影響を分析する。リンクスループット評価のために、以下の３つの場合を考慮する。
‐ＣＳＩとデータ復調のために理想的な推定を行うリンク性能における第３のパイロット電力レベルと第４のパイロット電力のレベルの影響
‐ＣＳＩとデータ復調のために現実的な推定を行うリンク性能における第３のパイロット電力レベルと第４のパイロット電力のレベルの影響
‐ＣＳＩ推定に対して現実的なチャネル推定を行い、データ復調に対して理想的なチャネル推定を行うリンク性能における第３のパイロット電力レベルと第４のパイロット電力のレベルの影響
【００５６】
４つの符号語を有する４×４ＭＩＭＯ通信システムが、リンクアダプテーションと一緒に考慮される。ここで、ランク情報、ＰＣＩ、変調、符号化率、およびトランスポートブロックサイズは、各送信時間間隔（ＴＴＩ）に対して動的に更新される。プレコーディングコードブックは、ＬＴＥリリース８に基づくものと仮定する。ＴＴＩは、無線リンク上の送信間隔を定義する。ＴＴＩは２ミリ秒、１０ミリ秒、２０ミリ秒のように異なる長さであってもよい。
【００５７】
いくつかのシミュレーションがこれから記述される。ここで、第３のパイロット信号と第４のパイロット信号に対して異なるパイロット電力を有する現実的なチャネル推定が用いられる。Ｐ−ＣＰＩＣＨとＳ−ＣＰＩＣＨの値は、それぞれ、−１０ｄＢと−１３ｄＢと設定される。さらに、送信側と受信側の両方において、無相関のフェージングが想定される。リンクアダプテーションに対し、ユーザ装置３１０は、現実的なチャネル推定を有するシャノン容量の最大化に基づいて、ＰＣＩ、ランク指標（ＲＩ）、及び変調・符号化方法（ＭＣＳ）を選択する。フィードバックは３ＴＴＩ遅延を有すると仮定され、誤りはないと仮定される。シミュレーションは、異なるジオメトリ係数を有し、無線チャネルはペデストリアン（Ｐｅｄｅｔｓｔｉａｎ）Ａチャネルが仮定され、ユーザ装置に対して実行される。ユーザ装置の速度は３Ｋｍｐｈ（キロ／時間）が想定される。
【００５８】
ここでは、チャネルサウンダとデータ復調の両方に対して理想的なチャネル推定が考慮される。図５は、ＣＱＩ算出及びデータ復調に対して理想的なチャネル推定を行う第３の送信アンテナ１２０３と第４の送信アンテナ１２０４に対する異なるパイロット電力削減を伴うリンクレベルスループットを示す。図５のｘ軸は、ｄＢで測定された第３のパイロット電力と第４のパイロット電力を表している。図５のｙ軸は、Ｍｂｐｓ（メガビット／秒）で測定されたスループットを表している。ジオメトリは２０ｄＢに設定される。スループットはあらゆるオーバーヘッドなしでプロットされる。なお、Ｐ−ＣＰＩＣＨとＳ−ＣＰＩＣＨの電力レベルは−１０ｄＢと−１３ｄＢに設定される。四角印が付いた線は、あらゆるオーバーヘッドなしの理想的な推定を表している。図５によれば、パイロット電力がより削減されるにつれて、ＨＳ−ＰＤＳＣＨに対して利用可能な電力に起因して、性能は改善する。この結果は、第３のアンテナと第４のアンテナにおける削減された電力とともに得られるスループットを示し、該結果は価値がある。
【００５９】
次に、チャネルサウンダとデータ復調の両方に対する現実的なチャネル推定を記述する。図６は、チャネルサウンダとデータ復調の両方に対して現実的なチャネル推定を行う第３の送信アンテナ１２０３と第４の送信アンテナ１２０４に対する異なるパイロット電力削減を伴うジオメトリが２０ｄＢの場合のリンクレベルスループットである。図６のｘ軸は、ｄＢで測定された第３のパイロット電力と第４のパイロット電力を表している。図６のｙ軸は、Ｍｂｐｓで測定されたスループットを表している。丸印が付いた線は、オーバーヘッドを含んだ理想的な推定を表している。三角印が付いた線は、現実的な推定を表している。パイロット電力が削減されるので、不良なチャネル推定に起因して性能が劣化することがわかる。
【００６０】
図７は、３つの異なるジオメトリに対するリンクスループット性能を示している。図７は、３つの異なる信号対雑音比（ＳＮＲ）を有するユーザ装置３１０に対するリンクレベルスループットとしても捉えられる。図７のｘ軸は、ｄＢで測定された第３のパイロット電力と第４のパイロット電力を表している。図７のｙ軸は、Ｍｂｐｓで測定されたスループットを表している。四角印が付いた線は、ジオメトリ＝０ｄＢを表している。丸印が付いた線は、ジオメトリ＝１０ｄＢを表している。四角印が付いた線は、ジオメトリ＝２０ｄＢを表している。第１の送信アンテナと第２の送信アンテナに対するパイロット電力をそれぞれ−１０ｄＢと−１３ｄＢに維持しながら、第３の送信アンテナと第４の送信アンテナに対するパイロット電力を削減した性能がプロットされている。図７では、パイロット電力を削減することにより、ＣＱＩとデータ復調に対する不良なチャネル推定に起因して性能の劣化を引き起こされることを表している。この劣化は、低いＳＮＲの領域に比較して高いＳＮＲの領域において激しい。これは、高いＳＮＲではランク３の送信とランク４の送信の可能性が高いからである。高いＳＮＲは例えば２０ｄＢかそれより高く、低いＳＮＲは５ｄＢより低い。ランク３の送信とランク４の送信は、実際に送信されたストリームの数を参照する。図７において、全てのジオメトリにおいて、リンクスループット性能は、第３の送信アンテナ１２０３と第４の送信アンテナ１２０４に対するパイロット電力が削減することに伴い劣化する。例えば０ｄＢの低いジオメトリでは、性能の劣化はかなり小さい。一方、例えば２０ｄＢの高いジオメトリでは、性能の劣化は激しい。例えば、−１９ｄＢのパイロット電力では、リンクスループットは、パイロットオーバーヘッドを伴う理想的な推定の基準線と比較して４６％劣化する。これは、高いジオメトリでは、ランク３の送信とランク４の送信の可能性が高いからである。低いもしくは１０ｄＢ等の中間のジオメトリでは、ランク１の送信とランク２の送信の可能性が高く、影響は小さくなる。
【００６１】
表１は、削減されたパイロット電力に起因する性能の劣化の概要である。
【表１】
2015506644.tif 000003
【００６２】
表１の最も左の列は、ｄＢで測定された第３の送信アンテナと第４の送信アンテナに対するパイロット電力の５つの異なる値を含んでいる。残りの３つの列は、低いジオメトリ、中間のジオメトリ、高いジオメトリにおける、オーバーヘッドを有する理想的な推定に関する性能の損失を表している。第３のパイロット信号と第４のパイロット信号のパイロット電力が−２２ｄＢを超えて削減される場合、高いジオメトリにおける性能は、中間のジオメトリと比較して
さらに悪くなる。
【００６３】
次に、チャネルサウンダに対する現実的なチャネル推定と、データ復調に対する完全（ｐｅｒｆｅｃｔ）なチャネル推定を記述する。図８は、チャネルサウンダに対して現実的なチャネル推定を行いデータ復調に対して完全なチャネル推定を行うリンクスループット性能を表している。完全な復調と、削減されたパイロット電力に起因する不完全（ｉｍｐｅｒｆｅｔ）のチャネルによる性能が示されている。図８のｘ軸は、ｄＢで測定された第３のパイロット電力と第４のパイロット電力を表している。図８のｙ軸は、Ｍｂｐｓで測定されたスループットを表している。丸印が付いた線は、オーバーヘッドを有する理想的な推定を表している。三角印が付いた線は、現実的なチャネル推定を表している。四角印が付いた線は、現実的なＣＱＩ推定と理想的な復調を表している。この結果は、２０ｄＢの高いジオメトリを有するユーザ装置３１０に対する結果を示している。チャネルサウンダに対する現実的なチャネル推定を伴う性能の損失はとても小さい。この損失は、削減されたパイロット電力が−２５ｄＢのレベルｄＢでも、２％より小さい。また、現実的なチャネル推定を伴う場合、第３の送信アンテナ１２０３と第４の送信アンテナ１２０４に対する削減された電力レベルに伴って性能が劣化することがわかる。ＣＱＩ推定に対する不完全なチャネル推定に起因した性能では、削減されたパイロット電力に伴う影響は無視できる。
【００６４】
２×２ＭＩＭＯが可能なユーザ装置、すなわちリリース７のユーザ装置であるレガシーユーザ装置に対する影響を調べるために、システムレベルシミュレーションが行われる。図９は、セクタごとにユーザ装置が異なる場合のセクタ／セルのスループットにおけるパイロット削減方式の性能を示している。図９のｘ軸は、セクタごとのユーザ装置３１０の数を表している。図９のｙ軸は、Ｍｂｐｓで測定されたセクタスループットを表している。四角印が付いた線は、第３の送信アンテナ１２０３と第４の送信アンテナ１２０４に対するパイロット電力が−１３ｄＢの場合を示している。プラス印が付いた線は、第３の送信アンテナ１２０３と第４の送信アンテナ１２０４に対するパイロット電力が−１６ｄＢの場合を示している。三角印が付いた線は、第３の送信アンテナ１２０３と第４の送信アンテナ１２０４に対するパイロット電力が−１９ｄＢの場合を示している。バツ印が付いた線は、第３の送信アンテナ１２０３と第４の送信アンテナ１２０４に対するパイロット電力が−２２ｄＢの場合を示している。星印が付いた線は、第３の送信アンテナ１２０３と第４の送信アンテナ１２０４に対するパイロット電力が−２５ｄＢの場合を示している。丸印が付いた線は、２×２ＭＩＭＯのみの場合を示している。本シミュレーションでは、全てのユーザ装置は、２本の受信アンテナを有する、リリース７ＭＩＭＯ機能が可能なユーザ装置であると仮定する。第３のパイロット信号と第４のパイロット信号に起因する追加の干渉は、異なる電力レベルと共に考慮される。第１の送信アンテナ１２０１と第２の送信アンテナ１２０２に対するパイロット電力は、それぞれ−１０ｄＢと−１３ｄＢに設定される。図９は、第３の送信アンテナ１２０３と第４の送信アンテナ１２０４において削減されたパイロット電力を有する、２本の送信アンテナに対するシステムレベル性能における影響を示している。削減されたパイロット電力を有する影響はあまり厳しくないことがわかるだろう。−２５ｄＢの電力レベルでは、追加パイロットに起因する影響はほとんど無視できる。
【００６５】
図９から、追加のパイロット信号の電力が減るに従い、システムスループット性能への影響は少なくなることがわかる。例えば、パイロット電力が−１９ｄＢ辺りであれば、レガシーユーザ装置における影響はほとんど無視できる。以下の表２は、第３のパイロット信号と第４のパイロット信号において追加された電力に起因する影響をまとめたものである。すなわち、表２は、システムレベルにおける追加のパイロット信号に起因する性能の損失を示している。最も左の列は、第３の送信アンテナ１２０３と第４の送信アンテナ１２０４に対するパイロット電力の５つの異なる値を表している。残りの列は、％（百分率、パーセント）で測定された、追加のパイロット信号に起因する性能の損失を、セクタごとの４つのユーザ装置の数に対して表している。
【表２】
2015506644.tif 000004
【００６６】
上記の記述では、第３の送信アンテナ１２０３と第４の送信アンテナ１２０４上の共通パイロット信号を導入することによるリンクスループットとシステムスループットの影響を示した。ここに示されたシステムシミュレーションの結果から、４ＴｘＭＩＭＯをサポートするために追加の低電力のパイロットを追加することにより、もし電力が１９ｄＢに削減されたら、レガシーユーザ装置において許容できる劣化が与えられることを結論付けることができる。パイロット電力の削減はユーザ装置の復調性能に影響を及ぼすことから、リンクレベルシミュレーションによる復調性能における影響を調査した。結果としては、パイロット電力の削減により、低いジオメトリにおける影響はほとんどないが、高いジオメトリでは影響は厳しいものになる。しかしながら、もしデータ復調のために完全なチャネル推定が仮定されると、現実的なチャネル推定を用いるＣＳＩ推定に対して影響は最少となる。すなわち、データ復調のために適切な電力を有する個別パイロット信号が導入され、第３の送信アンテナ１２０３と第４の送信アンテナ１２０４に対する電力レベルが削減されれば、システムスループットだけでなくリンクの影響も最小化される。ＣＳＩ計測に使用されるパイロットリソースの量を適応化することが可能である。
【００６７】
図１０ａと図１０ｂに示されるシグナリング図を参照することにより、いくつかの実施形態による共通パイロット電力の調整を決定する方法が記述される。図１０ａと図１０ｂは、先に記述した図４ａと図４ｂが示した実施形態である。上述したように、図４ａと図４ｂの方法は一般的な基準を用いる。図１０ａと図１０ｂは、基準が、スケジュールされたユーザ装置３１０のセットにおいて４ＴｘＭＩＭＯで構成されたユーザ装置３１０の数により表現される実施形態を示す。図１０ａは、共通パイロット電力を調整するノードが基地局３０１である場合のケースを示し、図１０ｂは、共通パイロット電力を調整するノードがネットワークノード３１５である場合のケースを示している。上述したように、基地局３０１は、第１の送信アンテナ１２０１、第２の送信アンテナ１２０２、第３の送信アンテナ１２０３、および第４の送信アンテナ１２０４を含む。基地局３０１は、無線キャリア３０７を介してユーザ装置３１０に接続される。いくつの実施形態において、無線キャリア３０７は単一のダウンリンクキャリアかマルチキャリアである。いくつかの実施形態において、通信システム３００はＨＳＤＰＡシステムである。
【００６８】
方法は以下の工程を含み、該工程はあらゆる適切な順に実行されてもよい。
【００６９】
工程１００１
この工程は、図１０ａと図１０ｂに示される。基地局３０１は、通信システム３００においてスケジュールされたユーザ装置３１０のセットを識別する。スケジュールされたユーザ装置３１０は、基地局３０１がサービスするセル３０５に位置する。基地局３０１は、スケジュールされたユーザ装置３１０のセットを識別するためにあらゆる適切な技術を用いる。
【００７０】
工程１００２
この工程は、図１０ａと図１０ｂに示される。基地局３０１は、スケジュールされたユーザ装置３１０のセットにおいて４ＴｘＭＩＭＯで構成されたユーザ装置３１０の数に基づいて、共通パイロット信号を調整すべきと判定する。いくつかの実施形態において、共通パイロット電力は、ＨＳ−ＳＣＣＨの開始時に増加されるように決定される。
【００７１】
工程１００２ａ
この工程は、図１０ａと図１０ｂに示され、工程１００２の副工程である。
【００７２】
いくつかの実施形態において、４ＴｘＭＩＭＯで構成された、スケジュールされたユーザ装置３１０の数がゼロである場合、すなわち、４ＴｘＭＩＭＯで構成されたスケジュールされたユーザ装置３１０が存在しない場合、基地局３０１は、第３の送信アンテナ１２０３と第４の送信アンテナ１２０４に対して共通パイロット信号を削減すべきと判定する。この削減は、共通パイロット電力を最低レベルに維持するものとして見なされてもよい。プライマリＣＰＩＣＨから、例えば６ｄＢから１０ｄＢ低い電力に設定することも可能であろう。
【００７３】
工程１００２ｂ
この工程は、図１０ａと図１０ｂに示され、工程１００２の副工程である。
【００７４】
いくつの実施形態において、４ＴｘＭＩＭＯで構成された、スケジュールされたユーザ装置３１０の数が閾値より多い場合、基地局３０１は、第３の送信アンテナ１２０３と第４の送信アンテナ１２０４に対して共通パイロット信号を増加すべきと判定する。２×２ＭＩＭＯと比較して、追加のアンテナ、すなわち、第３の送信アンテナ１２０３と第４の送信アンテナ１２０４における電力は、データの復調性能を保証するように増加される。この場合、妥当なパイロット電力は、プライマリＣＰＩＣＨより３ｄＢのオーダーで低くしてもよい。閾値は１以上の正の整数としてもよい。閾値は、基地局３０１においてあらかじめ定義されてもよく、または、操作の間で変化する動的な閾値でもよい。閾値は、通信システム３００におけるあらゆる適切な他のノードから基地局３０１により受信されてもよい。
【００７５】
工程１００２ａと１００２ｂのうち一つ以上が実行されてもよい。
【００７６】
工程１００３
この工程は、図１０ｂに示される。いくつかの実施形態において、基地局３０１は、共通パイロット電力を調整するためにネットワークノード３１５へ指示を送信する。基地局３０１は、パイロット電力が調整されるべきと判定された場合に、この送信を行う。
【００７７】
工程１００４
この工程は、図１０ａと図１０ｂに示される。いくつかの実施形態において、基地局３０１またはネットワークノード３１５は、工程１００２における判定に基づいて、第３の送信アンテナ１２０３と第４の送信アンテナ１２０４に対する共通パイロット電力を調整する。
【００７８】
工程１００５
この工程は、図１０ａと図１０ｂに示される。いくつかの実施形態において、基地局３０１は、第３の送信アンテナ１２０３と第４の送信アンテナ１２０４に対する調整された共通パイロット電力を用いて、第１のパイロット信号、第２のパイロット信号、第３のパイロット信号、および第４のパイロット信号をユーザ装置３１０へ送信する。いくつかの実施形態において、図１０ｂに示されるように、基地局３０１は、ネットワークノード３１５を介してこれらの４つのパイロット信号を送信する。
【００７９】
いくつかの実施形態において、基地局３０１は、削減された共通パイロット電力または増加された共通パイロット電力を用いて、場合によってはネットワークノード３１５を介して、第１のパイロット信号、第２のパイロット信号、第３のパイロット信号、および第４のパイロット信号をユーザ装置３１０へ送信する。
【００８０】
上述の方法は、以下に、基地局３０１の観点からみて記述される。図１１は、４Ｔｘ通信システム３００において共通パイロット電力の調整を決定する基地局３０１における本方法を記述するフローチャートである。上述したように、基地局３０１は、第１の送信アンテナ１２０１、第２の送信アンテナ１２０２、第３の送信アンテナ１２０３、および第３の送信アンテナ１２０４を含む。通信システム３００は、ＨＳＤＰＡシステムであってもよい。方法は、基地局３０１によって実行される更なる工程を含み、該工程は以下に記述する以外のあらゆる適切な順で実行されてもよい。
【００８１】
工程１１０１
この工程は、図４ａと図４ｂにおける工程４０１と、図１０ａと図１０ｂにおける工程１００１に対応する。
【００８２】
基地局３０１は、通信システム３００において、スケジュールされたユーザ装置３１０のセットを識別する。この工程は、プロセッサ１２０７等のプロセッサ、または以下に記述するような識別ユニット１２０５によって実行されてもよい。
【００８３】
工程１１０２
この工程は、図４ａと図４ｂにおける工程４０２と、図１０ａと図１０ｂにおける工程１００２に対応する。
【００８４】
基地局３０１はスケジュールされたユーザ装置３１０のセットに関連付けられた基準に基づいて、共通パイロット電力が調整されるべきと判定する。
【００８５】
基準は、スケジュールされたユーザ装置３１０のセットに関連付けられるＣＳＩ推定と、スケジュールされたユーザ装置３１０のセットにおける４ＴｘＭＩＭＯで構成されたスケジュールされたユーザ装置３１０の数、の少なくとも１つを表してもよい。
【００８６】
この工程は、プロセッサ１２０７等のプロセッサ、または以下に記述するような識別ユニット１２０５によって実行されてもよい。
【００８７】
工程１１０２ａ
この工程は、図４ａと図４ｂにおける工程４０２ａ、図１０ａと図１０ｂにおける工程１００２ａ対応する。
【００８８】
いくつかの実施形態において、基準が、スケジュールされたユーザ装置３１０のセットにおける４ＴｘＭＩＭＯで構成されているスケジュールされたユーザ装置３１０の数に関連付けられる場合に、スケジュールされたユーザ装置３１０のセットにおける４ＴｘＭＩＭＯで構成されているスケジュールされたユーザ装置３１０が存在しない場合、基地局３０１は、第３の送信アンテナ１２０３と第４の送信アンテナ１２０４に対する共通パイロット電力は削減されるべきと判定する。共通パイロット電力は、６ｄＢから１０ｄＢ削減されることにより調整されてもよい。
【００８９】
工程１１０２ｂ
この工程は、図４ａと図４ｂにおける工程４０２ｂ、図１０ａと図１０ｂにおける工程１００２ｂ対応する。
【００９０】
いくつかの実施形態において、基準が、スケジュールされたユーザ装置３１０のセットにおける４ＴｘＭＩＭＯで構成されているスケジュールされたユーザ装置３１０の数に関連付けられる場合に、スケジュールされたユーザ装置３１０のセットにおける４ＴｘＭＩＭＯで構成されているスケジュールされたユーザ装置３１０が閾値より多い場合、基地局３０１は、第３の送信アンテナ１２０３と第４の送信アンテナ１２０４に対する共通パイロット電力は増加されるべきと判定する。共通パイロット電力は３ｄＢ増加されることにより調整されてもよい。共通パイロット電力はＨＳ−ＳＣＣＨ送信の開始時に増加されることにより調整されてもよい。
【００９１】
工程１１０３
この工程は、図４ａにおける工程４０４、図１０ａにおける工程１００４に対応する。
【００９２】
いくつかの実施形態において、基地局３０１は、基準に基づいて第３の送信アンテナ１２０３と第４の送信アンテナ１２０４に対する共通パイロット電力を調整する。
【００９３】
工程１１０４
この工程は、図４ｂにおける工程４０３、図１０ｂにおける工程１００３に対応する。
【００９４】
いくつかの実施形態において、基準に基づいて第３の送信アンテナ１２０３と第４の送信アンテナ１２０４に対する共通パイロット電力を調整するために、基地局３０１は、ネットワークノード３１５へ指示を送信する。工程１１０４は工程１１０３に代わるものである。すなわち、基地局３１０は工程１１０３において共通パイロット電力を調整する場合、基地局３０１は工程１１０４においてネットワークノード３１５へ指示を送信しない。
【００９５】
工程１１０５
この工程は、図４ａと図４ｂにおける工程４０５、図１０ａと図１０ｂにおける工程１００５対応する。
【００９６】
いくつの実施形態において、基地局３０１は第１のパイロット信号、第２のパイロット信号、第３のパイロット信号、および第４のパイロット信号を、第３の送信アンテナ１２０３と第４の送信アンテナ１２０４に対する調整された共通パイロット電力を用いて、スケジュールされたユーザ装置３１０のセットにおける各ユーザ装置へ送信する。基地局３０１はこれらの信号をネットワークノード３１５を介して送信してもよい。
【００９７】
いくつかの実施形態において、基地局３０１は第１のパイロット信号、第２のパイロット信号、第３のパイロット信号、および第４のパイロット信号を、削減された共通パイロット電力または増加された共通パイロット電力を用いて、ユーザ装置３１０のセットにおける各ユーザ装置へ送信する。
【００９８】
４Ｔｘ通信システム３００において共通パイロット電力の調整を決定するために図１１に示される方法の工程を実行するため、基地局３０１は、図１２に示すような配置を有する。通信システム３００は、ＨＳＤＰＡシステムであってもよい。基地局３０１は、第１の送信アンテナ１２０１、第２の送信アンテナ１２０２、第３の送信アンテナ１２０３、および第４の送信アンテナ１２０４を含む。
【００９９】
基地局３０１は、通信システム３００においてスケジュールされたユーザ装置３１０のセットを識別するように構成された識別ユニット１２０５を更に含む。
【０１００】
基地局３０１は、スケジュールされたユーザ装置３１０のセットに関連付けられた基準に基づいて共通パイロット電力を調整すべきと決定するように構成されたプロセッサ１２０７を更に含む。基準は、スケジュールされたユーザ装置３１０のセットに関連付けられたＣＳＩ推定と、スケジュールされたユーザ装置３１０のセットにおける４ＴｘＭＩＭＯで構成されているスケジュールされたユーザ装置３１０の数、の少なくとも１つを表す。いくつかの実施形態において、基準が、スケジュールされたユーザ装置３１０のセットにおける４ＴｘＭＩＭＯで構成されているスケジュールされたユーザ装置３１０の数に関連付けられる場合に、スケジュールされたユーザ装置３１０のセットにおいて４ＴｘＭＩＭＯで構成されているスケジュールされたユーザ装置３１０が存在しない場合、プロセッサ１２０７は更に、第３の送信アンテナ１２０３と第４の送信アンテナ１２０４のために共通パイロット電力は削減されるべきと判定するように構成される。いくつかの実施形態において、基準が、スケジュールされたユーザ装置３１０のセットにおける４ＴｘＭＩＭＯで構成されているスケジュールされたユーザ装置３１０の数に関連付けられる場合に、スケジュールされたユーザ装置３１０のセットにおいて４ＴｘＭＩＭＯで構成されているスケジュールされたユーザ装置３１０が閾値より多い場合、プロセッサ１２０７は更に第３の送信アンテナ１２０３と第４の送信アンテナ１２０４のために共通パイロット電力は増加されるべきと判定するように構成される。
【０１０１】
いくつかの実施形態において、基地局３０１は、基準に基づいて第３の送信アンテナ１２０３と第４の送信アンテナ１２０４に対する共通パイロット電力を調整するように構成された調整部１２１０を更に含む。共通パイロット電力は６ｄＢから１０ｄＢ削減されることにより調整されてもよい。共通パイロット電力は３ｄＢ増加されることにより調整されてもよい。共通パイロット電力はＨＳ−ＳＣＣＨの送信時に増加されることにより調整されてもよい。
【０１０２】
上述のプロセッサ１２０７は更に、識別部１２０５の役割を実行するよう構成されてもよい。すなわち、プロセッサ１２０７は、通信システム３００においてスケジュールされたユーザ装置３１０のセットを識別するように構成される。並びに／または、プロセッサ１２０７は、調整部１２１０の役割を実行するように構成されてもよい。すなわち、プロセッサ１２０７は基準に基づいて、第３の送信アンテナ１２０３と第４の送信アンテナ１２０４に対する共通パイロット電力を調整するように構成される。
【０１０３】
いくつかの実施形態において、基地局３０１は、基準に基づいて第３の送信アンテナ１２０３と第４の送信アンテナ１２０４に対する共通パイロット電力を調整するためにネットワークノード３１５へ指示を送信するように構成された送信器１２１５を更に含む。いくつかの実施形態では、送信器１２１５は更に、第３の送信アンテナ１２０３と第４の送信アンテナに対する調整された共通パイロット電力を用いて、スケジュールされたユーザ装置３１０のセットにおける各ユーザ装置へ、第１のパイロット信号、第２のパイロット信号、第３のパイロット信号、および第４のパイロット信号を送信するように構成される。送信器１２１５は、少なくとも１つの電力削減された共通パイロット電力または少なくとも１つの電力増加された共通パイロットを用いて、スケジュールされたユーザ装置３１０のセットにおける各ユーザ装置へ、第１のパイロット信号、第２のパイロット信号、第３のパイロット信号、第４のパイロット信号を送信するように更に構成されてもよい。
【０１０４】
いくつかの実施形態において、基地局３０１は、通信システム３００において、例えばユーザ装置３１０のような他のノードからデータを受信するように構成された受信器１２１７を更に含む。
【０１０５】
基地局３０１は、１つ以上のメモリ部を更に有する。メモリ１２２０は、データ、受信ストリーム、電力レベル測定値、スケジュールされたユーザ装置３１０の数、パイロット電力の調整のレベル、第１、第２、第３、第４のパイロット信号、送信された調整後のパイロット電力、基地局３０１で実行される場合は方法を実施するためのアプリケーションを格納するために使用されるよう配置される。
【０１０６】
当業者であれば、上述した第１のアンテナ１２０１、第２のアンテナ１２０２、第３のアンテナ１２０３、第４のアンテナ１２０４、識別部１２０５、調整部１２１０、送信器１２１５、受信器１２１７、メモリ１２２０はアナログ回路とデジタル回路の組み合わせ、並びに／または、プロセッサ１２０７のような１つ以上のプロセッサにより実行される場合に上述したように実施される、例えばメモリに格納されたソフトウェア並びに／またはファームウェアで構成された１つ以上のプロセッサを参照してもよい。他のデジタルハードウェアだけでなく、１つ以上のこれらのプロセッサは、単一の特定用途向け集積回路（ＡＳＩＣ）やいくつかのプロセッサに含まれてもよく、かつ、さまざまなデジタルハードウェアは、個別にパッケージされるかシステムオンチップ（ＳｏＣ）に仕上げられるかにかかわらず、いくつかの分離されたコンポーネント間で分布されてもよい。
【０１０７】
上述した方法は、以下に、ネットワークノード３１５の観点からみて記述される。図１３は、４Ｔｘ通信システム３００において共通パイロット電力の調整を決定するネットワークノード３１５における本方法を記述するフローチャートである。上述したように、基地局３０１は、第１の送信アンテナ１２０１、第２の送信アンテナ１２０２、第３の送信アンテナ１２０３、第４の送信アンテナ１２０４を含む。通信システム３００はＨＳＤＰＡシステムであってもよい。ネットワークノード３１５はネットワーク制御装置３１５であってもよい。方法は、ネットワークノード３１５により実行される更なる工程を含み、該工程は以下に記述する以外にあらゆる好適な順番で実行されてもよい。
【０１０８】
工程１３０１
この工程は、図４ｂの工程４０３と図１０ｂの工程１００３に対応する。
【０１０９】
ネットワークノード３１５は、スケジュールされたユーザ装置３１０のセットに関連付けられた基準に基づいて、共通パイロット電力を調整するために、基地局３０１から指示を受信する。基準は、スケジュールされたユーザ装置３１０のセットに関連付けられるＣＳＩ推定と、スケジュールされたユーザ装置３１０のセットにおける４ＴｘＭＩＭＯで構成されているスケジュールされたユーザ装置３１０の数、の少なくとも１つを表す。
【０１１０】
工程１３０２
この工程は、図４ｂの工程４０４と図１０ｂの工程１００４に対応する。
【０１１１】
ネットワークノード３１５は、受信した指示に基づいて、基地局３０１の第３の送信アンテナ１２０３と第４の送信アンテナ１２０４に対する共通パイロット電力を調整する。共通パイロット電力は、６ｄＢから１０ｄＢ削減されることにより調整されてもよい。共通パイロット電力は、３ｄＢ増加されることにより調整されてもよい。共通パイロット電力は、ＨＳ−ＳＣＣＨの送信の開始時に増加されることにより調整されてもよい。
【０１１２】
この工程は、以下に記述するプロセッサ１４１５等のようなプロセッサ、または以下に記述する調整部１４０３により実行されてもよい。
【０１１３】
工程１３０３
この工程は、図４ｂの工程４０５と図１０ｂの工程１００５に対応する。
【０１１４】
いくつかの実施形態において、ネットワークノード３１５は、第３の送信アンテナ１２０３と第４の送信アンテナ１２０４に対する調整された共通パイロット電力を用いて、ユーザ装置３１０のセットにおける各ユーザ装置３１０へ、第１のパイロット信号、第２のパイロット信号、第３のパイロット信号、第４のパイロット信号を送信、すなわち転送する。ネットワークノード３１５は、第１のパイロット信号、第２のパイロット信号、第３のパイロット信号、第４のパイロット信号を各ユーザ装置３１０へ送信／転送する前に、それらの信号は基地局３０１から受信している。
【０１１５】
４Ｔｘ通信システム３００において共通パイロット電力を調整するために図１３に示された方法の工程を実行するために、ネットワークノード３１５は、図１４に示されるような配置を含む。通信システム３００は、ＨＳＤＰＡシステムであってもよい。ネットワークノード３１５は、無線ネットワーク制御装置３１５であってもよい。
【０１１６】
ネットワークノード３１５は、スケジュールされたユーザ装置３１０のセットに関連付けられた基準に基づいて共通パイロット電力を調整するために、基地局３０１から指示を受信するように構成された受信器１４０１を含む。基地局３０１は第１の送信アンテナ１２０１、第２の送信アンテナ１２０２、第３の送信アンテナ１２０３、第４の送信アンテナ１２０４を含む。基準は、スケジュールされたユーザ装置３１０のセットに関連付けられるＣＳＩ推定と、スケジュールされたユーザ装置３１０のセットにおける４ＴｘＭＩＭＯで構成されているスケジュールされたユーザ装置３１０の数、の少なくとも１つを表す。
【０１１７】
ネットワークノード３１５は、受信した指示に基づいて、基地局の第３の送信アンテナ１２０３と第４の送信アンテナ１２０４に対する共通パイロット電力を調整するように構成された調整部１４０３を含む。共通パイロット電力は、６ｄＢから１０ｄＢ削減されることにより調整されてもよい。共通パイロット電力は３ｄＢ増加されることにより調整されてもよい。共通パイロット電力は、ＨＳ−ＳＣＣＨ送信の開始時に増加されることにより調整されてもよい。いくつかの実施形態では、調整部１４０３の役割は、調整部１４０３の代わりに、以下に記述するプロセッサ１４１５等のプロセッサにより実行される。
【０１１８】
いくつかの実施形態において、ネットワークノード３１５は、第１のパイロット信号、第２のパイロット信号、第３のパイロット信号、および第４のパイロット信号を、第３の送信アンテナ１２０３と第４の送信アンテナ１２０４に対する調整された共通パイロット電力を用いて、スケジュールされたユーザ装置３１０のセットのうちの各ユーザ装置へ送信するように構成された送信器１４０５を含む。
【０１１９】
ネットワークノード３１５は、１つ以上のメモリ部を含むメモリ１４１０を更に含む。メモリ１４１０は、データ、受信ストリーム、電力レベル測定値、スケジュールされたユーザ装置３１０の数、パイロット電力の調整のレベル、第１、第２、第３、第４のパイロット信号、送信された調整後のパイロット電力、ネットワークノード３１５で実行される場合は方法を実施するためのアプリケーションを格納するために使用されるよう配置される。
【０１２０】
当業者であれば、上述した受信器１４０１、調整部１４０３、および送信器１４０５はアナログ回路とデジタル回路の組み合わせ、並びに／または、プロセッサ１４１５のような１つ以上のプロセッサにより実行される場合に上述したように実施される、例えばメモリ１４１０に格納されたソフトウェア並びに／またはファームウェアで構成された１つ以上のプロセッサを参照してもよい。他のデジタルハードウェアだけでなく、１つ以上のこれらのプロセッサは、単一のＡＳＩＣやいくつかのプロセッサに含まれてもよく、かつ、さまざまなデジタルハードウェアは、個別にパッケージされるかＳｏＣに仕上げられるかにかかわらず、いくつかの分離されたコンポーネント間で分布されてもよい。
【０１２１】
４方向送信アンテナ通信システム３００において共通パイロット電力を調整する本メカニズムは、ここに示した実施形態の機能を実行するコンピュータプログラムと一緒に、図１２に示される基地局の配置におけるプロセッサ１２０７、並びに／または、図１４に示されるネットワークノードの配置におけるプロセッサ１４１５のような、１つ以上のプロセッサを使って実装されてもよい。プロセッサは、例えば、デジタルシグナルプロセッサ（ＤＳＰ）、ＡＳＩＣプロセッサ、フィールドプログラマブルゲートアレイ（ＦＰＧＡ）やマイクロプロセッサであってもよい。上述したプログラムコードは、コンピュータプログラム製品として提供されてもよい。例えば、基地局３０１並びに／またはネットワークノード３１５において読み込まれる場合に、ここに示した実施形態を実行するためのコンピュータプログラムコードを運ぶデータ記憶媒体の形式としてもよい。このような記憶媒体の一つは、ＣＤ  ＲＯＭディスクの形式であってもよい。しかしながら、メモリスティックのような他のデータ記憶媒体でも実現可能である。コンピュータプログラムコードは、サーバ上の純粋なプログラムコードとしてさらに提供され、基地局３０１並びに／またはネットワークノード３１５へダウンロードされることが可能である。
【０１２２】
記述した解決手法は、あらゆる適切な通信標準をサポートしあらゆる適切なコンポーネントを用いる、あらゆる好適なタイプの通信システムにおいて実装されてもよいが、図３で示されたように、記述した解決手法の特定の実施形態はＨＳＤＰＡシステムにおいて実装される。
【０１２３】
例示的なシステムは、ユーザ装置間の通信やユーザ装置と有線の電話のような別の通信機器間の通信をサポートするのに適切なあらゆる追加的な要素をさらに含んでもよい。示されたユーザ装置は、ハードウェア並びに／またはソフトウェアの適切な組み合わせを含む通信機器を表してもよいが、このユーザ装置は、特に本実施形態では、図１５により詳細に示されている例示的なユーザ装置３１０のような機器を表してもよい。図１５に示されているユーザ装置３１０は、図３に示されているユーザ装置に対応する。同様に、示されたノードは、ハードウェア並びに／またはソフトウェアの適切な組み合わせを含むノードを表してもよいが、これらのノードは、特に本実施形態では、図１６により詳細に示されている例示的なノードのような機器を表してもよい。図１６に示されているノードは、図３に示されている基地局３０１並びに／またはネットワークノード３１５のいずれかに対応する。
【０１２４】
図１５に示すように、例示的なユーザ装置３１０は、無線回路１５１０、処理回路１５２０、メモリ１５３０、および少なくとも１つのアンテナ１５４０を含む。無線回路１５１０はＲＦ回路とベースバンド処理回路（不図示）を含んでもよい。特に本実施形態では、移動通信機器や他の無線機器の形態により提供される、上述したいくつかまたは全ての機能は、図１５に示されるメモリ１５３０のようなコンピュータ読み取り可能な媒体に格納された命令を実行する処理回路１５２０により提供される。ユーザ装置３１０の代替の実施形態は、図１５に示されるものを超えた追加的な要素を含んでもよい。該追加的な要素は、上述した機能並びに／または上述した解決手法に必要なあらゆる機能のいずれかを含み、無線機器の機能のある側面を提供することに責任を負う。
【０１２５】
図１６に示したように、例示的なノード３０１、３０５は無線回路１６１０、処理回路１６２０、メモリ１６３０、ネットワークインタフェース１６４０、および、少なくとも１つのアンテナ（不図示）を含む。処理回路１６２０はＲＦ回路とベースバンド処理回路（不図示）を含んでもよい。特に本実施形態では、移動基地局、基地局制御装置、中継ノード、ＮｏｄｅＢ、拡張ＮｏｄｅＢ、無線ネットワーク制御装置、並びに／または他の無線通信機器の形態により提供される、上述したいくつかまたは全ての機能は、図１６に示されるメモリ１６３０のようなコンピュータ読み取り可能な媒体に格納された命令を実行する処理回路１６２０により提供される。ノードの代替の実施形態は、追加的な要素を含んでもよい。該追加的な要素は、上述した機能並びに／または上述した解決手法に必要なあらゆる機能のいずれかを含み、追加的な機能を提供することに責任を負う。処理回路１６２０は図１２に示されるプロセッサ１２０７並びに／または図１４に示されるプロセッサ１４１５に対応する。図１６のメモリ１６３０は図１２のメモリ１２２０並びに／または図１４のメモリ１４１０に対応する。図１６のネットワークインタフェース１６４０は、図１２の第１の送信アンテナ１２０１、第２の送信アンテナ１２０２、第３の送信アンテナ１２０３、第４の送信アンテナ１２０４、送信器１２１５、および受信器１２１７に対応する。
【０１２６】
ここにおける実施形態は上述した実施形態に限定されない。あらゆる代替物、改善、等価物が利用されてもよい。したがって、上述の実施形態は実施形態の範囲を限定するように考えられるべきではない。
【０１２７】
本明細書で使用される語である「含む／含んでいる」は、記載された特徴、整数、工程、または要素の存在を特定するために用いられ、その存在や１つ以上の他の特徴、整数、工程、要素やそれらのグループを除外するものではないことを強調する。また、「１つ」の要素は、そのような要素が複数存在することを排除しないことを注意すべきである。
【図１】
2015506644.tif 000005
【図２】
2015506644.tif 000006
【図３】
2015506644.tif 000007
【図４Ａ】
2015506644.tif 000008
【図４Ｂ】
2015506644.tif 000009
【図５】
2015506644.tif 000010
【図６】
2015506644.tif 000011
【図７】
2015506644.tif 000012
【図８】
2015506644.tif 000013
【図９】
2015506644.tif 000014
【図１０Ａ】
2015506644.tif 000015
【図１０Ｂ】
2015506644.tif 000016
【図１１】
2015506644.tif 000017
【図１２】
2015506644.tif 000018
【図１３】
2015506644.tif 000019
【図１４】
2015506644.tif 000020
【図１５】
2015506644.tif 000021
【図１６】
2015506644.tif 000022
【国際調査報告】
2015506644.tif 000023
2015506644.tif 000024
2015506644.tif 000025
2015506644.tif 000026